(57)【要約】【課題】本発明は、アンカーヘッドの背面を直接観察により点検可能とするアンカーヘッドを提供することを目的とする。【解決手段】本発明のアンカーヘッドは、地中等に埋設したテンドンの一端部を挿通させ、前記テンドンに緊張力を付与した状態で、前記一端部を抜け止め係止する挿通孔と、アンカーヘッドの背面領域を目視観察により点検可能とする点検孔と、を備えることを特徴とする。【選択図】図３
2013177760.tif 000002
【特許請求の範囲】
【請求項１】
地中等に埋設したテンドンの一端部を挿通させ、前記テンドンに緊張力を付与した状態で、前記一端部を抜け止め係止する挿通孔と、
アンカーヘッドの背面領域を目視観察により点検可能とする点検孔と、
を備えることを特徴とするアンカーヘッド。
【請求項２】
前記点検孔は内視鏡挿入用であって、少なくとも背面側端部をテーパ状に拡径する請求項１記載のアンカーヘッド。
【請求項３】
前記点検孔の中心軸線が、表面側から背面側に向けて当該アンカーヘッドの軸心方向へ傾斜する請求項１又は２記載のアンカーヘッド。
【請求項４】
前記点検孔を複数備える請求項１乃至３の何れか一項記載のアンカーヘッド。
【請求項５】
アンカーヘッドをアンカープレート上に載置し、前記アンカーヘッドに形成される挿通孔に、地中等に埋設したテンドンの一端部を挿通させ、前記テンドンに緊張力を付与した状態で、前記一端部を抜け止め係止してなるアンカーの点検方法であって、前記アンカーヘッドとして請求項１乃至４の何れかに記載のアンカーヘッドを使用し、前記アンカーヘッドの点検孔を利用してアンカーヘッドの背面領域を目視観察により点検することを特徴とするアンカー点検方法。
【発明の詳細な説明】
【技術分野】
【０００１】
本発明は、グラウンドアンカー等において最も劣化の進みやすいアンカーヘッドの背面領域を目視観察により点検可能とするアンカーヘッド、及び該アンカーヘッドを使用したグラウンドアンカーにおいて、アンカーヘッドの背面領域を目視観察により点検するアンカー点検方法に関する。
【背景技術】
【０００２】
グラウンドアンカー（以下、「アンカー」という。）は、地盤や構造物等の補強、安定化を図ることを目的として、土木建築分野において広く利用されている。
【０００３】
例えば、山留め工事等において、地中に形成した削孔内にＰＣ鋼より線等により構成されるテンドンの一方側端部を挿入し、該孔内にグラウトを注入・硬化させる一方、地表面に配置されたコンクリート等の受圧板上にアンカープレートを設置し、該アンカープレート上に載置されるアンカーヘッドの挿入孔に前記テンドンの他方側端部を挿入し、該テンドンに緊張力を付与した状態で、該テンドンの他方側端部（余長部）をクサビにより抜け止め係止して該アンカーヘッドに定着させることで、前記テンドンの緊張力により前記工事箇所を補強することが行われている。
【０００４】
また、前記アンカーの管理は、主に地表に露出するアンカーヘッドの目視による点検、歪センサ・振動周波数等に基づく荷重（緊張力）計測等により行われている（例えば、特許文献１，２を参照。）。
【０００５】
ところで、アンカーについては、国際プレストレストコンクリート連盟（ＦＩＰ）における「グラウンドアンカー破断事故調査委員会」により、破損・破断の６０％以上がアンカーヘッド及びアンカーヘッド背面で発生しているとの報告がなされており、我が国において、テンドンをシースと防錆材グリースによる二重防食構造とすることが基準化されている。
【０００６】
ところが、アンカーヘッド背面の真下は、地下水の“みず道”となりやすいため、防錆材グリースが劣化しやすく、錆が発生しやすい。
また、一般に、アンカーヘッド背面は止水構造になっているが、水のわずかな流入でも、防錆材グリースは時間の経過とともに劣化し機能を失うものであり、港湾・海洋構造物・海岸斜面等の安定化に利用されるアンカーの場合は、特に海水の影響を受けやすい。
【０００７】
しかしながら、上記従来のアンカー管理手法は、アンカー全体の劣化状況を間接的に把握するものであり、アンカーヘッド背面領域の状況を適切に把握できるものではない。
【先行技術文献】
【特許文献】
【０００８】
【特許文献１】特開２００２−２２１４５７号公報
【特許文献２】特開２００３−１２１２７８号公報
【発明の概要】
【発明が解決しようとする課題】
【０００９】
そこで、本発明は、アンカーヘッドの背面領域を直接目視により観察し点検することを可能とするアンカーヘッドを提供することを目的とする。
また、本発明は、前記アンカーヘッドを用いたアンカーにおいて、アンカーヘッドの背面領域を直接目視により観察し点検するアンカー点検方法を提供することを目的とする。
【課題を解決するための手段】
【００１０】
上記目的を達成するため、本発明のアンカーヘッドは、地中等に埋設したテンドンの一端部を挿通させ、前記テンドンに緊張力を付与した状態で、前記一端部を抜け止め係止する挿通孔と、アンカーヘッドの背面領域を目視観察により点検可能とする点検孔と、を備えることを特徴とする。
【００１１】
本発明のアンカーヘッドは、前記点検孔が内視鏡挿入用であって、少なくとも背面側端部をテーパ状に拡径することが好ましい。
【００１２】
本発明のアンカーヘッドは、前記点検孔の中心軸線が、表面側から背面側に向けて当該アンカーヘッドの軸心方向へ傾斜することが好ましい。
【００１３】
本発明のアンカーヘッドは、前記点検孔を複数備えることが好ましい。
【００１４】
本発明のアンカー点検方法は、アンカーヘッドとして前記何れかのアンカーヘッドを使用し、前記アンカーヘッドの点検孔を利用してアンカーヘッドの背面領域を目視観察により点検することを特徴とする。
【発明の効果】
【００１５】
本発明のアンカーヘッドは、点検孔を利用してアンカーヘッドの背面領域を直接目視により観察し点検できるのに加え、前記点検孔を利用して劣化した防錆材グリースを排出し、また新鮮な防錆材グリースを充填することができる。
したがって、本発明のアンカーヘッドによれば、アンカーヘッド背面領域におけるアンカーの劣化状況を適切に把握することができるため、補修必要箇所を容易に確定でき、防錆材グリースを適切に補充してアンカーの長寿命化を図れ、法面等の安全管理を効率的かつ経済的な手法で行うことができる。
【００１６】
本発明のアンカーヘッドは、前記点検孔が内視鏡挿入用であって、少なくとも背面側端部をテーパ状に拡径することとすれば、内視鏡先端部の動作範囲が広がる結果、アンカーヘッドの背面領域において直接目視により観察できる範囲を広げることができるとともに、当該アンカーヘッド自体の裏面付近についても直接目視により観察し点検することができる。
【００１７】
本発明のアンカーヘッドによれば、前記点検孔の中心軸線が、表面側から背面側に向けて当該アンカーヘッドの軸心方向へ傾斜することとすれば、アンカーヘッド背面領域における中心付近の点検が容易となる。
【００１８】
本発明のアンカーヘッドは、前記点検孔を複数備えることとすれば、テンドンに遮られることなく、内視鏡によってアンカーヘッドの背面領域をくまなく点検することが可能となる。
また、本発明のアンカーヘッドは、前記点検孔の一つを防錆材グリースの充填用として利用する場合、他の孔からアンカーヘッド背面側の空間の空気が抜けることで、防錆材グリースをスムースに充填することが可能となる。
【００１９】
本発明のアンカー点検方法によれば、アンカーヘッドの点検孔を利用してアンカーヘッドの背面領域を直接目視により観察し点検するので、効率的かつ経済的な方法により、アンカーを適切に維持管理することが可能となる。
【図面の簡単な説明】
【００２０】
【図１】アンカーのアンカーヘッド周辺部の構造を示す概略断面図。
【図２】アンカーヘッドの説明図。
【図３】アンカー点検システムの説明図。
【発明を実施するための形態】
【００２１】
本発明の実施の形態を図面に基づいて説明する。
【００２２】
図１は、アンカーのアンカーヘッド周辺部の構造を示す概略断面図である。
図１には、アンカーを構成するアンカーヘッド１と、アンカープレート２と、３本のテンドン３と、自由長シース４が示されている。
【００２３】
前記アンカーヘッド１は、前記テンドン３を挿通させる図示しない３つの挿通孔を有し、前記アンカープレート２上に載置されている。
前記アンカープレート２は、前記３本のテンドンを挿通させる１つの開口を中央に有し、地表面に配設されるコンクリート製等の受圧板５上に設置されている。
前記テンドン３は、ＰＣ鋼より線により構成され、地上側の端部部分が前記アンカーヘッド１の図示しない挿通孔に挿通されている。また、前記テンドン３は、地中側の領域が前記自由長シース４によって被覆されており、該自由長シース４内に充填される防錆材としてのグリースとともに二重防食加工が施されている。
【００２４】
前記アンカーは、前記テンドン３が、地中に埋設され、自由長部を通じて図示しない地盤内部の定着部に固結されており、緊張力を付与された状態で、地上側の余長部（アンカーヘッド１から延出する端部部分）が、図示しないクサビにより前記アンカーヘッド１の挿通孔内に抜け止め係止され、該アンカーヘッド１に定着されることで地盤を補強する。
【００２５】
図２は、本発明の実施の形態におけるアンカーヘッドの説明図であって、（ａ）は平面図、（ｂ）は（ａ）におけるＡ−Ａ断面図を示す。
本実施の形態において、アンカーヘッド１は、テンドン３を挿通させる３つの挿通孔１１と、内視鏡によりアンカーヘッドの背面領域を直接目視により観察し点検可能とする２つの点検孔１２を備える。
【００２６】
前記挿通孔１１は、中心軸線が、アンカーヘッド１の軸心に平行に形成されており、表面側端部がテーパ状に拡径する構成とすることで、当該挿通孔１１に挿通されるテンドン３との間にクサビが係合可能とされる。
【００２７】
一方、前記点検孔１２は、中心軸線が、表面側から背面側に向けて、アンカーヘッド１の軸心方向へ傾斜するよう形成されており、当該点検孔１２に挿入される内視鏡によってアンカーヘッドの背面領域における中心付近の点検が容易とされる。
また、前記点検孔１２は、アンカーヘッドの背面側端部がテーパ状に拡径する構成とすることで、当該点検孔１２に挿入される内視鏡先端部の動作範囲を広げることが可能とされる。
【００２８】
前記アンカーヘッド１は、テンドン３を挿通させる３つの挿通孔１１を備えるものであるが、前記挿通孔１１の数は、地中に埋設するテンドン３の数に合わせて適宜設定すればよい。
【００２９】
また、前記アンカーヘッド１は、２つの点検孔１２を備えるものであるが、少なくとも１つの点検孔１２を備えるものであればよい。なお、前記アンカーヘッド１が複数の点検孔１２を備えるものであれば、テンドン３に遮られることなく、前記内視鏡によってアンカーヘッドの背面領域を全方位からくまなく点検することが可能となる。
【００３０】
前記アンカーヘッド１において、前記点検孔１２は、アンカーヘッド背面領域において劣化した防錆材グリースの排出用、及び新鮮な防錆材グリースの充填用として用いることもできる。
また、前記アンカーヘッド１が点検孔１２を複数備える場合、当該点検孔１２の一つを防錆材グリースの充填用として利用すれば、他の点検孔１２からアンカーヘッド背面側の空間の空気が抜けて、防錆材グリースのスムースな充填が可能となる。
なお、前記防錆材グリースは、前記自由長シース４内に止まらず、前記自由長シース４とアンカーヘッド１の間の空間に位置するテンドン３に対し供給してもよいことはいうまでもない。
【００３１】
本実施の形態におけるアンカーヘッドは、前記点検孔１２を利用してアンカーヘッド１の背面領域を直接目視により観察し点検できるのに加え、前記点検孔１２を利用して劣化した防錆材グリースの排出や新鮮な防錆材グリースの充填を行うことができる。
したがって、本発明の実施の形態におけるアンカーヘッドによれば、当該アンカーヘッド背面領域におけるアンカーの劣化状況を適切に把握することができるため、補修必要箇所を容易に確定でき、防錆材グリースを適切に補充してアンカーの長寿命化を図れ、法面等の安全管理を効率的かつ経済的な手法で行うことができる。
【００３２】
図３は、本発明の実施の形態におけるアンカー点検方法において使用するアンカー点検システムの説明図を示す。ここでは、法面の補強に用いられるアンカーを例として示す。
本実施の形態において、アンカーヘッド背面領域の点検は、内視鏡６とモニター７からなるシステムを用いて行われる。
【００３３】
ここで、前記内視鏡６は、先端部にＣＣＤカメラ６１を備え、前記先端部が３６０°回動可能なものであって、フラッシュ撮影により動画や静止画を撮影できるものである。
また、前記モニター７は、前記内視鏡６により撮影された動画や静止画を表示するものである。なお、当該モニター７は、前記動画や静止画を記録できる装置を内蔵することが好ましい。
【００３４】
本実施の形態においてアンカーの点検は、前記アンカーヘッド１に形成された点検孔１２から前記内視鏡６を挿入し、アンカーヘッド１の背面領域の動画又は静止画を前記モニター７に表示して直接目視により観察することで行われる。
【００３５】
本実施の形態におけるアンカー点検方法によれば、前記アンカーヘッド１の点検孔１２を利用して該アンカーヘッド１の背面領域を直接目視により観察し点検するので、従来のアンカー全体の劣化状況を間接的に把握する方法と比較して、アンカーをより適切に維持管理することが可能となる。
【００３６】
なお、上記本発明の実施の形態において、アンカーヘッド１に形成される点検孔１２には、通常は閉栓がなされるとともに、該アンカーヘッド１にヘッドキャップを被せる等することで、前記点検孔１２からアンカーヘッド１の背面領域への雨水等の侵入を防止することができる。
【００３７】
本発明は、上記実施の形態に限るものでなく、発明の範囲を逸脱しない限りにおいてその構成を適宜変更できることはいうまでもない。
【産業上の利用可能性】
【００３８】
本発明のアンカーヘッドは、アンカーヘッドの背面領域を目視観察により点検可能とする点検孔を備え、また、本発明のアンカー点検方法は、前記アンカーヘッドの点検孔を利用してアンカーヘッドの背面領域を目視観察により点検するので、アンカーを適切に維持管理することが可能であり、極めて実用性が高い。
【符号の説明】
【００３９】
１      アンカーヘッド
１１      挿通孔
１２      点検孔
２      アンカープレート
３      テンドン
４      自由長シース
５      受圧板
６      内視鏡
６１      ＣＣＤカメラ
７      モニター
【図１】
2013177760.tif 000003
【図２】
2013177760.tif 000004
【図３】
2013177760.tif 000005